(57)【要約】【課題】乗客から放出された不快な排泄物ガスを自動車内から効果的に除去するように動作する換気システムを提供すること。【解決手段】換気システムは、自動車の座席の頂部に取込開口部が形成された自動車に設けられ、伸縮自在パイプは、座席のクッション部分に位置し、頂端部が取込開口部に取り付けられて下端部が座席の下面の出口ポートに取り付けられ、アンモニアセンサ及び空気引込ファンは、伸縮自在パイプに取り付けられて、空気引込ファンは、アンモニアセンサが座席に座っている乗客により放出された廃棄物の悪臭空気を検出すると、座席ファンモジュールの制御と共に作動され、排気ダクトは、悪臭空気を自動車外に導くために設けられている。【選択図】図１
2009101982.tif 000002
【特許請求の範囲】
【請求項１】
自動車内の悪臭空気換気システムであって、
前記自動車内の座席の頂部に形成された取込開口部と、
前記座席に位置し、前記取込開口部に接続される上端部、及び前記座席の下側に位置する出口ポートに取り付けられた分岐排気ダクトに接続される下端部を有する伸縮自在パイプと、
前記伸縮自在パイプに取り付けられ、前記取込開口部に隣接して位置するアンモニアセンサと、
前記伸縮自在パイプに取り付けられ、空気引込座席ファンと、
前記座席ファン及び前記アンモニアセンサに接続された座席ファンモジュールであって、前記アンモニアセンサが前記座席に座っている乗客により放出された排泄物ガスを検出すると、前記ガスを前記分岐排気ダクトに排気するために前記座席ファンが作動するように動作する座席ファン制御モジュールと、
を備えることを特徴とする悪臭空気換気システム。
【請求項２】
前記分岐排気ダクトが、前記悪臭空気を前記自動車外に導くための主排気ダクトに接続されることを特徴とする請求項１に記載の悪臭空気換気システム。
【請求項３】
空気フィルタを有して前記主排気ダクトの排気端部に位置し、前記悪臭空気を前記自動車外にフィルタをかけて排気する動作をするカーボンフィルタユニットを有することを特徴とする請求項２に記載の悪臭空気換気システム。
【請求項４】
前記悪臭空気の前記自動車外への排気を促進するため、前記カーボンフィルタユニットに位置する排気ファンを有することを特徴とする請求項３に記載の悪臭空気換気システム。
【請求項５】
前記カーボンフィルタユニットに位置し、前記カーボンフィルタユニットの動作を監視して、前記カーボンフィルタにおける前記フィルタの交換の要求の表示をもたらすための排気ファンフィルタモジュールを有することを特徴とする請求項４に記載の悪臭空気換気システム。
【請求項６】
前記カーボンフィルタユニットのドア部分に設けられたドア連結スイッチを有することを特徴とする請求項５に記載の悪臭空気換気システム。
【請求項７】
前記座席に近接して位置するドアに取り付けられた手動のオーバーライドスイッチを有し、
前記オーバーライドスイッチが、当該換気システムを作動するように動作することを特徴とする請求項６に記載の悪臭空気換気システム。
【請求項８】
前記取込開口部に取り付けられたスクリーン部と、
前記取込開口部と前記伸縮自在パイプの頂端部との間に取り付けられた漏斗形状のアダプタと、
を備えることを特徴とする請求項７に記載の悪臭空気換気システム。
【請求項９】
複数の座席を有する自動車のための自動車内部の悪臭空気換気システムであって、
前記複数の座席における各座席の頂部に形成された取込開口部と、
前記各座席のクッション部分に位置し、前記取込開口部に接続される上端部、及び前記各座席の下側に位置する出口ポートに取り付けられた下端部を有する伸縮自在パイプと、
複数の分岐排気ダクトであって、それぞれ個別の１つの当該分岐排気ダクトが前記各座席の前記出口ポートに接続された複数の分岐排気ダクトと、
前記伸縮自在パイプに取り付けられ、前記取込開口部に隣接して位置するアンモニアセンサと、
前記伸縮自在パイプに取り付けられた空気引込座席ファンと、
前記各座席の前記クッション部分に取り付けられた座席ファンモジュールであって、前記アンモニアセンサ及び前記引込座席ファンと電気的に接続され、乗客が座っている座席の前記分岐排気ダクトに前記悪臭空気を排気し、かつ前記座席の前記取込開口部内に排泄物の悪臭空気を放出するように前記空気引込座席ファンを作動させるように動作する座席ファンモジュールと、
を備えることを特徴とする悪臭空気換気システム。
【請求項１０】
前記複数の分岐排気ダクトに接続され、前記悪臭空気を前記自動車外に導くように動作する主排気ダクトを有することを特徴とする請求項９に記載の悪臭空気換気システム。
【請求項１１】
前記主排気ダクトの排気端部に取り付けられ、前記悪臭空気を前記自動車外に放出する前に当該悪臭空気にフィルタをかけるように動作するカーボンフィルタユニットを有することを特徴とする請求項１０に記載の悪臭空気換気システム。
【請求項１２】
前記カーボンフィルタユニットに位置する排気ファン及び排気ファン制御モジュールを有し、
前記排気ファン制御モジュールが、前記悪臭空気を前記自動車外に放出するために前記排気ファンが作動するように動作することを特徴とする請求項１１に記載の悪臭空気換気システム。
【請求項１３】
複数の主排気ダクトであって、主排気ダクトそれぞれが前記複数の分岐排気ダクトの別個の１つに接続された複数の主排気ダクトを有することを特徴とする請求項９に記載の悪臭空気換気システム。
【請求項１４】
前記複数の主排気ダクトの排気端部に接続され、前記悪臭空気を前記自動車外に放出する前にフィルタをかける働きをするカーボンフィルタユニットを有することを特徴とする請求項１３に記載の悪臭空気換気システム。
【発明の詳細な説明】
【技術分野】
【０００１】
本発明は、換気システム、特に自動車内の乗客から放出される排泄物ガス(human waste gas)の悪臭空気を除去するための換気システムに関する。
【背景技術】
【０００２】
自動車の内部における制限された閉鎖環境により、自動車内にいる乗客から放出される排泄物ガスの臭気は、特に不快を与えるものである。自動車内の一般的な換気システムは、外部の新鮮な空気をその内部に引き込むように規定されており、このような換気システムでは、自動車内の空気を除去せず、自動車内の悪臭が消えるまで比較的長期間が必要となりうる。寒冷気候地域の冬季において、または自動車が高速道路において高速移動しているとき、埃っぽい若しくは騒々しい地域を移動しているときにおいて、臭気を除去するために自動車の窓を開くことは、現実的でない。さらに、自動車内に空気を引き込むことは、その内部の望ましい温度及び快適な環境を大きく変更しうる。
【発明の開示】
【発明が解決しようとする課題】
【０００３】
本発明の主な目的は、乗客から放出された不快な排泄物ガスを自動車内から効果的に除去するように動作する換気システムを提供することである。
【０００４】
本発明の他の１つの目的は、自動車内の乗客から放出された排泄物ガスを座席から直接除去し、自動車内の全体に悪臭が広がることを防止する換気システムを提供することである。
【０００５】
本発明の他の１つ目的は、乗客から放出された不快な排泄物ガスを自動車外に除去及び放出する換気システムを提供することである。
【０００６】
本発明の他の１つの目的は、自動車内の乗客から放出された不快な排泄物ガスを除去する一方、比較的一定の安定した内部状態及び環境を保持する換気システムを提供することである。
【課題を解決するための手段】
【０００７】
本発明の他の目的は、明細書の一部を形成する添付の図面を参照しつつ、以下の記載及び添付の特許請求の範囲で明らかになるであろう。
【発明を実施するための最良の形態】
【０００８】
図を参照すると、図において同様の参照符号は、種々の異なる視点における対応する部分を示しており、本発明の換気システムは、左前方座席１、右前方座席２、左後部座席３及び右後部座席４を有する４シータの自動車を示している。同様のシステムは、同様の目的で２シータから複数の座席を有する自動車に採用可能であることがわかる。図２Ａにおいて最もよくわかるように、換気取込開口部（取込開口部）５は、座席に座っている乗客の直下にある座面６に設けられている。スクリーン部７は、取込開口部５に設けられており、異物が誤って取込開口部５内に落下することを防止する。伸縮自在パイプ８は、シートクッション内においてほぼ垂直をなして配置されており、漏斗形状のアダプタ９により取込開口部５に接続され、座席の下面における出口ポート１０に接続されていることが好ましい。図２Ａにおいてスプリング１１、１２で図示される収縮したスプリングにより支持されたクッション性のある座席上の乗客の体重により、伸縮自在パイプ８は収縮する。座席は、背もたれ１３を有している。
【０００９】
乗客から放出された排泄物ガスを検出するため、アンモニアセンサ１４は、弾力性のあるパイプ８の頂部に搭載されており、スクリーン部７の真下にある。また、空気引込座席ファン１５は、伸縮自在パイプ８または図１に示すように座席の出口ポート１０に接続された排気ダクト１６内に位置しうる代替物内にある。空気引込座席ファン１５の動作は、座席ファンモジュール１７により制御されている。
【００１０】
座席ファンモジュール１７は、自動車のイグニッションスイッチを入れ、シートクッションに設けられた占有スイッチが座席に乗客が座っていることを検出したときに自動的に作動する。座席ファンモジュール１７は、アンモニアセンサ１４が乗客により放出された排泄物ガスの存在を検出すると、空気引込座席ファン１５のファンモータをオンにし、分岐排気ダクト１６を介して悪臭空気を除去するために中間ファン速度で動作するようにアンモニアセンサ１４によって動作される。座席ファンモジュール１７は、アンモニアセンサ１４が悪臭空気の完全な除去を検出した後の追加の１５秒間、低速で座席ファン１５の動作を保つ。また、座席センサにより検出された占有者がいる他のすべての座席における座席ファンモジュール１７は、追加の１５秒の合間に低速で動作され、バックドラフト及びデータ共有を回避する。また、各座席の座席ファンモジュール１７は、各座席の近傍のドアスイッチパネルにある手動オーバーライドスイッチにより、必要に応じて別個の座席ファン１５を動作させるために動作されうる。図１に示すように、手動オーバーライドスイッチ１８は、左前方座席１の座席ファンモジュールに設けられており；手動オーバーライドスイッチ１９は、右前方座席２に設けられており；手動オーバーライドスイッチ２０は、左後部座席３に設けられており；手動オーバーライドスイッチ２１は、右後部座席４に設けられている。
【００１１】
座席の分岐排気ダクト１６は、悪臭空気を自動車外に放出するための排気ファンを有するカーボンフィルタユニット２３に接続される主排気ダクト２２に接続されている。カーボンフィルタユニット２３の排気ファンは、カーボンフィルタユニット２３のアクセスドアにあるフィルタドア連結スイッチと図３Ｂにおいて最もよく示される排気ファンフィルタモジュール２４とにより制御されている。排気ファンフィルタモジュール２４は、フィルタの動作時間の記録を維持し、フィルタ交換の要求の表示をもたらす。システムは、フィルタが必要に応じて交換されないと、動作しないだろう。診断ユニットは、排気ファンフィルタモジュール及び座席ファンモジュールのすべてに接続されており、これらモジュールの通常の動作を検出するために動作している。
【００１２】
代替として、分岐排気ダクト１６それぞれは、別個の主排気ダクトに接続されてもよい。図４に示すように、座席１の分岐排気ダクト１６は、主排気ダクト２６に接続され；座席２の分岐排気ダクト１６は、主排気ダクト２７に接続され；座席３の分岐排気ダクト１６は、主排気ダクト２８に接続され；座席４の分岐排気ダクト１６は、主排気ダクト２９に接続されている。別個の主排気ダクト２６、２７、２８及び２９は、悪臭空気を自動車外に放出するための単一のカーボンフィルタユニット、または別の個別のカーボンフィルタユニットに接続されてもよい。
【００１３】
本発明の好ましい実施形態が上述されているが、さまざまな変更がその中で行われ、添付の特許請求の範囲が本発明の精神と範囲に含まれるこのような変更のすべてを含むことを目的としていることは、認識され、理解されるだろう。
【図面の簡単な説明】
【００１４】
【図１】本発明における悪臭換気システムを示す図である。
【図２Ａ】放出された排泄物ガスを受けるために乗客の直下に形成された換気取込部を有する自動車におけるクッション性を有する座席を示す透過正面図である。
【図２Ｂ】本発明における悪臭空気取込口が用意された自動車におけるクッション性を有する座席を示す拡大透過正面図である。
【図２Ｃ】本発明のシステムにおけるアンモニアセンサを示す分離した拡大図である。
【図３Ａ】本発明のシステムにおける座席ファンモジュールのダイアグラムを示す図である。
【図３Ｂ】本発明のシステムにおけるフィルタファンモジュールのダイアグラムを示す図である。
【図４】本発明のシステムにおける代替の実施形態であって、別個の座席に対して別個の主空気排気ダクトを有する実施形態を示す図である。
【符号の説明】
【００１５】
１  左前方座席（座席）、２  右前方座席（座席）、３  左後部座席（座席）、４  右後部座席（座席）、５  換気取込開口部（取込開口部）、７  スクリーン部、８  パイプ（伸縮自在パイプ）、９  アダプタ、１０  出口ポート、１１  スプリング、１４  アンモニアセンサ、１５  空気引込座席ファン（座席ファン）、１６  排気ダクト（分岐排気ダクト）、１７  座席ファンモジュール、１８〜２１  手動オーバーライドスイッチ、２２，２６〜２９  主排気ダクト、２３  カーボンフィルタユニット、２４  排気ファンフィルタモジュール
【図１】
2009101982.tif 000003
【図２Ａ】
2009101982.tif 000004
【図２Ｂ】
2009101982.tif 000005
【図２Ｃ】
2009101982.tif 000006
【図３Ａ】
2009101982.tif 000007
【図３Ｂ】
2009101982.tif 000008
【図４】
2009101982.tif 000009
【外国語明細書】
2009101982.tif 000010
2009101982.tif 000011
2009101982.tif 000012
2009101982.tif 000013
2009101982.tif 000014
2009101982.tif 000015
2009101982.tif 000016
2009101982.tif 000017
2009101982.tif 000018
2009101982.tif 000019
2009101982.tif 000020
2009101982.tif 000021
2009101982.tif 000022